(57)【要約】【課題】開閉蓋の操作性と使用上の安全性を向上できる画像読取装置を提供する。【解決手段】原稿を載置する原稿台（原稿台ガラス１１）と、原稿台を介して原稿を読み取るための原稿読取手段（原稿読取センサ４０）とを有する本体部１０と、本体部に対して開閉可能に取り付けられ、原稿台上に原稿を押し付けるための開閉蓋２０とを備え、開閉蓋は、開閉蓋の長手方向の中間部において、前蓋２１と後蓋２２との二つの部分に分割されており、前蓋と後蓋とは、原稿を押し付ける面が互いに近づく方向に折り曲げ可能に接続されている。【選択図】図１
2011044815.tif 000002
【特許請求の範囲】
【請求項１】
原稿を載置する原稿台と、該原稿台を介して前記原稿の画像を読み取るための画像読取手段とを有する本体部と、
前記本体部に対して開閉可能に取り付けられ、前記原稿台上の前記原稿に当接される開閉蓋とを備え、
前記開閉蓋は、互いに接続される前蓋及び後蓋を有し、前記前蓋及び後蓋の接続部近傍で前記原稿との当接面が互いに近づく方向に折り畳み可能であることを特徴とする画像読取装置。
【請求項２】
前記開閉蓋は、前記開閉蓋の長手方向の中央部において前記前蓋及び前記後蓋の二つの部分に分割され、且つ当該前蓋及び後蓋の接続部近傍において折り畳み可能であることを特徴とする請求項１に記載の画像読取装置。
【請求項３】
前記前蓋と前記後蓋を折り畳み可能に接続する接続部が、前記前蓋と前記後蓋の境界に対して、所定の距離だけ離れた位置に配置されていることを特徴とする請求項１又は２に記載の画像読取装置。
【請求項４】
前記前蓋の前端部から前記接続部までの距離が、前記接続部から前記後蓋の後端部までの距離より短いことを特徴とする請求項３に記載の画像読取装置。
【請求項５】
前記前蓋は、前記原稿との当接面が画像の背景となる前方背景板からなるとともに、前記後蓋は、前記原稿との当接面が画像の背景となる後方背景板からなり、前記開閉蓋が折り畳まれていない状態においては、前記前蓋と前記後蓋との接続部近傍において、前記前方背景板と前記後方背景板とが重なり合っていることを特徴とする請求項３に記載の画像読取装置。
【請求項６】
前記開閉蓋は、前記原稿との当接面が画像の背景となる一枚の背景板からなり、前記開閉蓋が折り畳まれたときに、前記背景板が前記前蓋と前記後蓋との接続部近傍で屈曲することを特徴とする請求項３に記載の画像読取装置。
【請求項７】
前記前蓋は、その前端に爪形状部を有するとともに、前記本体部は、その上面に凹形状部を有し、前記開閉蓋が折り畳まられた状態において、前記爪形状部が前記凹形状部に係合することを特徴とする請求項１乃至６のいずれか１項に記載の画像読取装置。
【請求項８】
前記本体部は、その上面に前記爪形状部をガイドするレール形状部を有することを特徴とする請求項７に記載の画像読取装置。
【請求項９】
前記前蓋の前端部には、前記本体部の奥行き方向に後退した凹形状部が形成されていることを特徴とする請求項１乃至８のいずれか１項に記載の画像読取装置。
【請求項１０】
前記凹形状部の内面が黒色又は黒色に近い色であることを特徴とする請求項９に記載の画像読取装置。
【請求項１１】
前記前蓋と前記後蓋の一方に設けられ、前記開閉蓋が平行に伸びた平行状態を保持する第１の位置と、前記開閉蓋が折り畳み可能になる第２の位置とに移動可能な保持部材をさらに備えることを特徴とする請求項１乃至１０のいずれか１項に記載の画像読取装置。
【請求項１２】
前記保持部材を前記第１の位置へ付勢する付勢手段と、前記保持部材を前記付勢手段の付勢力に抗して前記第２の位置へ移動させる操作部材とをさらに備えることを特徴とする請求項１１に記載の画像読取装置。
【発明の詳細な説明】
【技術分野】
【０００１】
本発明は、例えば、紙等のシート材や冊子等からなる原稿の画像を読み取るための画像読取装置に関する。
【背景技術】
【０００２】
従来から、原稿面に沿って画像読取手段であるキャリッジを走査して原稿の画像読取を行うフラットベッドスキャナ（以下、ＦＢ）が知られている（例えば、特許文献１参照）。このような従来のＦＢにおいては、原稿台に載せた原稿を被い原稿台に原稿を押し付けるための原稿カバーが設けられており、その原稿カバーは、本体後端にある回転軸を中心に回転可能に、且つ所定角度回転した開放位置で保持されるように構成されている。
【０００３】
ユーザは、原稿の載せ替え時や原稿台の清掃時等には、原稿カバーを上記の開放位置に開いた状態で作業を行う。また、ユーザが連続的にスキャン操作をしたい場合は、原稿カバーをいちいち開閉するか、もしくは開放状態のままで使用する。
【先行技術文献】
【特許文献】
【０００４】
【特許文献１】特開２０００−２２４３５９号公報
【発明の概要】
【発明が解決しようとする課題】
【０００５】
しかしながら、リーガルサイズやＡ３サイズ等に対応する縦に長い装置では、原稿カバーも縦に長くなるため、ユーザが椅子に座った状態では原稿カバーの開閉操作がし難く、且つ開放状態にした場合には縦に長い原稿カバーが直立状態となり危険である。また、横に長い装置では、上記の問題はある程度解消されるが、デスクの幅方向のスペースを大きく占有してしまうという新たな問題が発生する。また、一般的にデスクトップパソコンが縦に長いため、横に長い装置を近くに置くとスペース効率が悪くなる。
【０００６】
この問題を解決するために、特許文献１では、小さいサイズの原稿を原稿台にセットする場合に、原稿カバーの一部だけが持ち上がる構成をとることで、原稿カバー全体を持ち上げる負荷を低減し、原稿カバーの開閉操作を容易にした画像読取装置を開示している。
【０００７】
しかしながら、特許文献１に開示されている構造では次のような問題がある。例えば、小さいサイズの原稿をセットする場合には、原稿カバーの開閉が容易となるが、大きいサイズの原稿をセットする場合には、やはり原稿カバー全体を持ち上げる必要があり、上記と同じ問題が発生することである。すなわち、上記の問題は、例えば、リーガルサイズ又はそれ以上の比較的大きなサイズの原稿を読み取る画像読取装置において特に顕著に現れる。
【０００８】
本発明は上述した課題に鑑みてなされたものであり、その目的は、開閉蓋の開閉操作性と使用上の安全性を向上できる画像読取装置を提供することである。
【課題を解決するための手段】
【０００９】
上記目的を達成するための本発明に係る画像読取装置は、原稿を載置する原稿台と、該原稿台を介して前記原稿の画像を読み取るための画像読取手段とを有する本体部と、前記本体部に対して開閉可能に取り付けられ、前記原稿台上の前記原稿に当接される開閉蓋とを備え、前記開閉蓋は、互いに接続される前蓋及び後蓋を有し、前記前蓋及び後蓋の接続部近傍で前記原稿との当接面が互いに近づく方向に折り畳み可能であることを特徴とする。
【発明の効果】
【００１０】
本発明によれば、開閉蓋の開閉操作性と使用上の安全性を向上できる画像読取装置を提供することが可能となる。
【図面の簡単な説明】
【００１１】
【図１】本発明の一実施形態のフラットベッドスキャナを示す概略断面図。
【図２】一実施形態のフラットベッドスキャナの構成を示す概略斜視図。
【図３】一実施形態の開閉蓋の構成を示す概略断面図。
【図４】一実施形態の開閉蓋の構成を示す概略下面図。
【図５】一実施形態の開閉蓋の構成を示す概略断面図。
【図６】一実施形態の開閉蓋の構成を示す概略下面図。
【図７】一実施形態の開閉蓋を折り畳んだ状態を示す概略断面図。
【図８】一実施形態の変形例の開閉蓋の構成を示す概略断面図。
【図９】一実施形態の開閉蓋を平行に保持した状態を示す概略断面図。
【図１０】一実施形態の開閉蓋の下に厚手の原稿をセットした概略断面図。
【図１１】一実施形態の開閉蓋の折り畳み状態での保持構造を示す概略断面図。
【図１２】一実施形態の開閉蓋の構成を示す図１１のＣ矢視図。
【図１３】一実施形態の変形例の開閉蓋の構成を示す図１１のＣ矢視図。
【図１４】一実施形態の背景板の構成を示す概略断面図。
【図１５】一実施形態の背景板の構成を示す概略断面図。
【図１６】他の実施形態の背景板の構成を示す概略断面図。
【図１７】他の実施形態のロック部材の構成を示す概略上面図。
【図１８】他の実施形態のロック部材の構成を示す概略上面図。
【図１９】他の実施形態の開閉蓋の構成を示す概略断面図。
【図２０】一実施形態の開閉蓋を折り畳み原稿をセットした状態を示す図。
【図２１】図２０の状態において得られる画像を示す図。
【発明を実施するための形態】
【００１２】
以下、本発明の好適な一実施形態について、図面を参照して詳細に説明する。
【００１３】
図１〜７、９〜１２、１４、１５は本発明の画像読取装置の一例としてのフラットベッドスキャナ（以下、ＦＢ）の一実施形態の構成図であり、図８、１３、１６〜１８は一実施形態の変形例の構成図である。
【００１４】
図１及び図２に示すように、本実施形態のＦＢ１は、原稿Ｄを下部ユニット１０の上部に設けた原稿台ガラス（原稿台）１１上（原稿台上）に配置し、開閉蓋２０で原稿Ｄを被い、フラットベッドスキャナの本体部内に設けられたキャリッジ（画像読取手段の一例であるＣＣＤ［Ｃｈａｒｇｅ  Ｃｏｕｐｌｅｄ  Ｄｅｖｉｃｅ］等の原稿読取センサを含む）４０を矢印ｘ方向に走査して原稿Ｄの画像読み取りを行う装置である。そして、本実施形態では、フラットベッドスキャナの本体部に対して開閉可能な開閉蓋２０が長手方向（フラットベッドスキャナの本体部の奥行き方向：走査方向）に２分割されて構成されている。開閉蓋２０は、原稿台ガラス１１上に載置される原稿Ｄを被う部材であり、本実施形態では、長手方向の中間部（中央部）において前蓋２１と後蓋２２とに分割され、前蓋２１と後蓋２２とが軸部２１ａ（接続部）で回転可能に接続されている。また、矢印ｙ方向に移動可能なヒンジ部材２３に対して、後蓋２２が軸部２２ｂにより回転可能に支持されている。本実施形態では、このような構造とすることにより、詳細は後述するが、開閉蓋２０は、前蓋２１及び後蓋２２の原稿Ｄとの当接面（原稿Ｄと接する面であり、閉状態で原稿台ガラス１１と対向する面）が互いに近づく方向に折り畳み可能となっている。これにより、開閉蓋２０の開閉操作性と使用上の安全性を向上することができる。また、本実施形態では、詳細は後述するが、開閉蓋２０を折り畳んでも、画像品質を低下させないような構造等を採用している。
【００１５】
図３〜図６は開閉蓋２０の構成を示す図である。図３〜図６に示すように、前蓋２１は、前蓋２１の前端に設けられ軸部２１ｄを中心に回転可能な操作レバー（操作部材）２１１と、操作レバー２１１に連動して矢印ｐ方向（第２の位置の方向）に移動可能なロック部材（保持部材）２１２と、ロック部材２１２を矢印ｐ方向とは反対方向（第１の位置の方向）に所定の付勢力で付勢する圧縮バネ２１３とを有する。
【００１６】
以上の構成により、ユーザが、図３に示すように、前蓋の把手部２１ｂと操作レバーの把手部２１１ａを掴む動作により操作レバー２１１を矢印ｑ方向に回転させると、操作レバー２１１に連動してロック部材２１２が矢印ｐ方向に移動し、図５に示すようにロック部材２１２と後蓋２２の係合が解除される。その後、前蓋２１を矢印ｒ方向に回転させながら後方（矢印ｐの反対方向）に押し込んでいくと、図７に示すように、開閉蓋２０が折り畳まれる。例えば、本実施形態では、前蓋２１及び後蓋２２は、該前蓋２１と後蓋２２との接続部近傍で、軸部２１ａにより回動自在であり、後蓋２２が軸部２２ｂにより本体部に回動自在となっている。このため、開閉蓋２０は、後蓋２２と本体部との接続部である軸部２２ｂが支点となって、後蓋２２が原稿台ガラス１１に対して立ち上がりながら前蓋２１が後蓋２２に接近する方向に可動自在である。これにより、開閉蓋２０の前蓋２１を矢印ｒ方向に押し込むことで、開閉蓋２０を前蓋２１及び後蓋２２の原稿Ｄとの当接面が互いに近づく方向に折り畳むことができる。なお、このように開閉蓋２０を折り畳んだ状態においては、折り畳まれた開閉蓋２０が原稿台ガラス１１上に略直立の状態（原稿台ガラス１１の面方向と略直交する方向に立つ状態）となり、当該状態が実質的に保持される。この時、操作レバー２１１の回転方向（矢印ｑ）と前蓋２１の回転方向（矢印ｒ）は、例えば図３、図５では前蓋２１が半時計周りとなる方向で同じ方向である。そのため、ユーザは図３、図５に示した把手部２１ｂ、把手部２１１ａを掴みながら後方に押し込むという動作だけで開閉蓋２０の折り畳みまで行うことができ、簡単に開閉操作ができる。
【００１７】
折り畳み状態から元に戻す場合は、把手部２１ｂ、把手部２１１ａを掴んで前蓋２１を手前に引き戻せば、ロック部材２１２の傾斜面２１２ａが後蓋２２の前端に押し込まれることによりロック部材２１２が前蓋内に退避する。そして、開閉蓋２０が平行に伸びたところで、ロック部材２１２が圧縮バネ２１３によって後蓋２２と係合する位置まで移動され、開閉蓋２０が平行保持状態となる。一方、折り畳み操作でなく、図９のように開閉蓋２０が平行に伸びた平行保持状態（平行状態）で把手部２１ｂを持ち上げる開閉操作も行うことができる。この時、図１０に示すように厚手原稿Ｂをセットした場合、ヒンジ部材２３が上昇することにより開閉蓋２０全体でその厚手原稿Ｂを押さえつけることができ、画像品質を向上させることができる。
【００１８】
また図７に示すように、軸部２１ａは、前蓋２１と後蓋２２の境界から前方に所定距離ｌだけ離れた位置に設けられている。これにより、開閉蓋２０を開閉するとき、前蓋２１と後蓋２２が互いに干渉しないように構成することができる。この軸部２１ａと開閉蓋２０の境界の関係についての変形例として、図８に示すように、軸部２１ａを、前蓋２１と後蓋２２の境界から後方に所定距離ｌ´だけ離れた位置に設ける構成であっても同様の効果が得られる。また図７に示すように、軸部２１ａと前蓋２１前端との距離ｍは軸部２１ａと軸部２２ｂ（後蓋の後端部）の距離ｎより短く設定されている。短いものほど回転し易いので、ｍをなくべく小さくすることによって開閉蓋２０の折り畳み開閉操作を容易にすることができる。
【００１９】
図１１は折り畳んだ状態にある開閉蓋２０を保持する構成を示す図であり、図１２は図１１のＣ矢視図である。図１１及び１２に示すように、前蓋２１の前端の左右には爪形状部２１ｅが設けられ、下部ユニット１０の上面側には凹形状部１０ａが設けられている。これにより、開閉蓋２０が折り畳まれた時、爪形状部２１ｅが凹形状部１０ａに係合し、開閉蓋２０の折り畳み状態が保持される。凹形状部１０ａ周辺には傾斜面１０ａａが設けられており、爪形状部２１ｅを凹形状部１０ａに嵌り易くすることができる。また、下部ユニット１０の上面側にはレール形状部１０ｂが設けられ、開閉蓋２０を折り畳む時、爪形状部２１ｅがレール形状部１０ｂにガイドされながら移動する。これにより、開閉蓋２０をレール形状部１０ｂに沿って真っ直ぐに折り畳むことができ、開閉蓋２０が横に振れなくなるので開閉操作が容易になり、またレール形状部１０ｂの周辺域が傷つくことを防止できる。変形例として、開閉蓋２０が十分な強度を有し横振れが少ない場合には、図１３に示すようなレール形状部１０ｂを持たない構成であってもよい。また図１３では凹形状部１０ａを囲むように傾斜面１０ａａが設けられており、爪形状部２１ｅを凹形状部１０ａに嵌り易くしている。
【００２０】
図１２に示すように、前蓋２１の前端は、開閉蓋２０の折り畳み状態で、原稿台ガラス１１に対向する領域が後退した凹形状２１ｈとなっている。開閉蓋２０の折り畳み状態の時でも前蓋２１の前端と原稿台の間に所定の高さを有する開口部を作ることができ、その開口部に原稿を差し込むことが出来る。そのため、開閉蓋２０がもし半開き状態にあっても邪魔になることなくユーザは厚手原稿等でも原稿台に容易にセットすることができる。また開閉蓋２０を折り畳み状態から元に戻そうとする時にセットされた原稿がある場合でも、原稿にぶつかること無く閉めることができる。
【００２１】
図１４及び１５は画像の背景となる背景板の構成図である。図１４及び１５に示すように、前蓋２１と後蓋２２の下部ユニット１０側には、原稿を押圧するスポンジ２１ｆ、２２ｆと、画像の背景となる背景板２１ｇ（前方背景板）、２２ｇ（後方背景板）と、開閉蓋２０の折り畳み方向の移動限界で前蓋２１と後蓋２２が相突き当たる突き当て部２１ｈ、２２ｈが設けられている。これにより、突き当て部２１ｈ、２２ｈが突き当たるまで開閉蓋を折り畳んだ時、背景板２１ｇ、２２ｇが干渉しないように構成することができる。もし軸部２１ａを前蓋２１と後蓋２２の境界近くに設けた場合は、折り畳み動作で背景板２１ｇ、２２ｇがぶつかって痛んでしまうので、このような突き当て部２１ｈ、２２ｈを設けることにより、それを防ぐことができる。
【００２２】
図１５に示すように、後蓋２２の前端部は、背景板２２ｇがスポンジ２２ｆより突き出るよう構成されている。図１４で示すようにこの背景板２２ｇの突き出した部分が背景板２１ｇの下に重なるようになっている。すなわち、開閉蓋２０が折り畳まれていない状態では、前蓋２１と後蓋２２との接続部において、背景板２１ｇと背景板２２ｇとの端部同士が重なり合っている。これにより、背景板に継ぎ目が無くなり、画像背景に継ぎ目が写り込むことを防止することができ、部品の干渉を防ぐことができる。従来技術（特許文献１）では、小さいサイズの原稿を原稿台にセットする場合に、原稿カバーの一部だけが持ち上がる構成であるため、画像背景に原稿カバーの分割ラインが見えてしまう恐れがある。これに対し、本実施形態では、背景板に継ぎ目がないため、原稿背景に継ぎ目が写り込むことがない。したがって、画像品質を低下させることなく、開閉蓋２０の開閉操作性と使用上の安全性を向上することができる。
【００２３】
なお、本実施形態では、背景板２２ｇが突き出ている構成を説明したが、それに限るものではなく、背景板２１ｇの後端が突き出た構成であっても同様の効果を得られるが、この場合には、部品の干渉を防ぐために図８に示すような軸部２１ａが前蓋２１と後蓋２２の境界から後方にずれた構成でかつ、開閉蓋の平行保持状態で背景板２１ｇの後端が背景板２２ｇの下に重なる構成にする必要がある。また、前蓋２１か後蓋２２のどちらか一方の背景板が突き出る構成で説明したが、これに限るものではなく、前蓋２１か後蓋２２の少なくとも一方の背景板が上述の突き出る構成であればよい。
【００２４】
次に、図１２に示した前蓋２１の前端に形成された凹形状２１ｈについて、もう少し詳しく説明する。
【００２５】
この凹形状２１ｈは、既に述べたように、開閉蓋２０の折り畳み状態の時でも前蓋２１の前端と原稿台の間に所定の高さを有する開口部を作り、その開口部に原稿を差し込むことが出来るようにするためのものである。
【００２６】
ところが、このような構造にすると、次のような問題が発生する。本実施形態では、上述した画像背景となる背景板２１ｆ，２１ｇが黒色である。ここで、図２０に示したように前蓋２１と後蓋２２を折り畳んで、その前方に原稿Ｄを載置した場合を考える。このとき、例えば、凹部２１ｈの内面が例えば白色で、原稿Ｄも白色である場合、図２１に示される画像が得られる。この場合、原稿Ｄの白色、前端部２１ｈの面の白色が存在するため、白色により画像サイズを検知して切り出そうとしても（自動サイズ検知機能）、正確に切り出すことができない。
【００２７】
そのため、本実施形態では、図２に示す前蓋２１の前端面２１ｈ、２１ｉ、２１ｊは黒色あるいは黒色に近い色に塗装されている。このような構成により、開閉蓋２０を折り畳んだ状態の時、開閉蓋の前端面２１ｈ、２１ｉ、２１ｊが画像背景に写り込むことがなくなり、それにより自動サイズ検知の失敗を防止できる。
【００２８】
また上記では、前端面２１ｈ、２１ｉ、２１ｊは黒色又は黒色に近い色に塗装されている構成で説明したがこれに限るものではない。前端面２１ｈ、２１ｉ、２１ｊを塗装でなく黒色の別パーツで構成してもいいし、前蓋２１全体を黒色にしても同様の効果を得ることができる。
【００２９】
（他の実施形態）
上記の一実施形態では、２枚の背景板（２１ｇ、２２ｇ）を有する構成で説明したが、それに限るものでなく、一枚の背景板のみを有する構成であってもかまわない。その場合、折り畳んだ状態は図１６に示すように、前蓋２１の後端と後蓋２２の前端の隙間で、背景板２０ｇが屈曲可能な範囲の曲率で屈曲させ、突き当て部２１ｈ、２２ｈがそれ以上屈曲させないよう規制する構成にすることで背景板２０ｇの潰れが防止できる。
【００３０】
また、上記の一実施形態では、操作レバー２１１に連動させてロック部材２１２を移動させ、開閉蓋２０を平行に伸びた平行保持状態から解除する構成を説明したが、操作レバー２１２による連動を行わない構成であってもよい。図１７及び図１８に示すように、矢印ｐ方向に移動したときに前蓋２１に係合するロック部材３０を設け、ユーザの操作によりロック部材３０を移動させて、開閉蓋２０の平行保持状態と折り畳み可能状態とを切り替えられる構成にすると、部品点数が少なくなりコストダウンを図ることができる。ロック部材３０が前蓋２１に係合する構成で説明したが、それに限るものではなく、ロック部材３０が後蓋２２に係合する構成や矢印ｐ方向以外に移動する構成であってもよい。
【００３１】
また、上記の一実施形態では、回転操作する操作レバー２１１を有する構成で説明したが、それに限るものではなく、図１９に示すようにロック部材２１２に操作レバー部２１２ｂを直接設けた構成であってもよい。この場合、操作レバー部２１２ｂの操作方向は矢印ｐ方向となる。この構成でも、部品点数を少なくすることができ、コストダウンを図ることができる。
【００３２】
また、上記の一実施形態では、開閉蓋２０の折り畳み操作をする時、手で前蓋２１を回転させる動作が必要な構成で説明したが、この回転操作を容易にするため、開閉蓋を折り畳み方向に付勢させるバネ等の付勢部材を設けてもよい。
【００３３】
また、上記の一実施形態では、ヒンジ部材２３を有する構成で説明したが、それに限るものでなく、ヒンジ部材２３が無い構成でもかまわない。この場合、厚手原稿をセットする場合、開閉蓋２０の平行保持状態では開閉蓋２０は厚手原稿を真っ直ぐ押さえることができないので、その時は平行保持状態を解除すれば前蓋２１で厚手原稿を真っ直ぐ押さえることができる。
【００３４】
以上説明したように、上記の実施形態のフラットベッドスキャナによれば、開閉蓋を折り畳んで開閉操作が可能になるので、例えば、ユーザが椅子に座った状態で使用する際等において開閉操作を容易にすることができる。また、開閉蓋を開放状態にした場合でも安全な状態で保持することができ、また、前蓋と後蓋との接続部（境界部）近傍における隙間を無くすことができ、画像背景部への境界ラインの写り込みを防止できる。
【００３５】
以上、本発明を一実施形態に基づいて説明したが、本発明は上述した一実施形態に限定されるものではない。例えば、上述した一実施形態では、画像読取手段の一例として原稿読取センサを搭載したキャリッジを原稿に沿って走査することにより原稿の画像を読み取る画像読取装置について説明したが、本発明は勿論これに限定されず、例えば、画像読取手段は走査せず固定タイプであってもよい。
【００３６】
また、上述した一実施形態では、開閉蓋を前蓋と後蓋とに二分割した構造を例示して説明したが、本発明は勿論これに限定されず、例えば、二分割以上に分割されていてもよいし、あるいは、開閉操作性良く開閉蓋を折り畳むことができれば、開閉蓋を構成する部材が分割されていなくてもよい。
【００３７】
さらに、上述した一実施形態では、画像読取装置の一例としてフラットベットスキャナを例示して説明したが、本発明は勿論これに限定されず、画像読取装置（画像読取手段）を備えた装置、例えば、複写機や複合機等の各種処理装置に本発明を適用してもよい。
【符号の説明】
【００３８】
Ｂ  厚手原稿
Ｄ  原稿
１  フラットベッドスキャナ
１０  下部ユニット
１０ａ    凹形状部
１０ａａ  傾斜面
１０ｂ  レール形状部
１１  原稿台ガラス
２０  開閉蓋
２０ｆ  スポンジ
２０ｇ  背景板
２１  前蓋
２１ａ  軸部
２１ｂ  把手部
２１ｄ  軸部
２１ｅ  爪形状部
２１ｆ  スポンジ
２１ｇ  背景板
２１ｈ  突き当て部
２１１  操作レバー
２１１ａ  把手部
２１２    ロック部材
２１２ａ  傾斜面
２１２ｂ  傾斜面
２１３  圧縮バネ
２２  後蓋
２２ｂ  軸部
２２ｆ  スポンジ
２２ｇ  背景板
２２ｈ  突き当て部
２３  ヒンジ部材
３０  ロック部材
４０  キャリッジ
【図１】
2011044815.tif 000003
【図２】
2011044815.tif 000004
【図３】
2011044815.tif 000005
【図４】
2011044815.tif 000006
【図５】
2011044815.tif 000007
【図６】
2011044815.tif 000008
【図７】
2011044815.tif 000009
【図８】
2011044815.tif 000010
【図９】
2011044815.tif 000011
【図１０】
2011044815.tif 000012
【図１１】
2011044815.tif 000013
【図１２】
2011044815.tif 000014
【図１３】
2011044815.tif 000015
【図１４】
2011044815.tif 000016
【図１５】
2011044815.tif 000017
【図１６】
2011044815.tif 000018
【図１７】
2011044815.tif 000019
【図１８】
2011044815.tif 000020
【図１９】
2011044815.tif 000021
【図２０】
2011044815.tif 000022
【図２１】
2011044815.tif 000023